(57)【特許請求の範囲】
【請求項１】
連続気泡フォームより成る伸縮フォーム層の上面及び橋軸方向両端面に止水部材を接着すると共に前記止水部材のうち少なくとも上面部分をシート状弾性部材で形成して成る遊間用止水材相互を接続する方法であって、前記遊間用止水材の橋軸直角方向端部を当該遊間用止水材相互の接続端部とし、前記接続端部における伸縮フォーム層の上部域に弾性体を埋設すると共に当該弾性体の上面及び橋軸方向両端面を止水部材に接着させたものとし、前記遊間用止水材の橋軸方向端面をウェブに接着した後に、隣合う遊間用止水材の少なくとも弾性体相互間に、反応硬化性のある前記と同じ弾性体を流し込んで隣合う遊間用止水材の弾性体相互を接続するようにしたことを特徴とする遊間用止水材相互の接続方法。
【請求項２】
連続気泡フォームより成る伸縮フォーム層の上面及び橋軸方向両端面に止水部材を接着すると共に前記止水部材のうち少なくとも上面部分をシート状弾性部材で形成して成る遊間用止水材相互を接続する方法であって、前記遊間用止水材の橋軸直角方向端面を当該遊間用止水材相互の接続端部とし、前記接続端部におけるシート状弾性部材の上面に弾性体を接着させたものとし、前記遊間用止水材の橋軸方向端面をウェブに接着した後に、隣合う遊間用止水材の少なくとも弾性体相互間に、反応硬化性のある前記と同じ弾性体を流し込んで隣合う遊間用止水材の弾性体相互を接続するようにしたことを特徴とする遊間用止水材相互の接続方法。
【発明の詳細な説明】
【０００１】
【発明の属する技術分野】
この発明は、橋桁相互間や橋桁と橋台相互間の遊間に設置され、遊間からの雨水等を阻止する遊間用止水材、特に、伸縮フォーム層の上面に止水部材となるシート状弾性体が積層接着された遊間用止水材相互の接続方法に関するものである。
【０００２】
【従来の技術】
この種の遊間用止水材としては、例えば、図１７や図１８に示すようなものがあり、構成・設置態様・機能は以下通りである。
（構成について）
この遊間用止水材Ｓは、図１７に示すように、一対の止水部材９１，  ９１に連続気泡フォーム体より成る伸縮フォーム層９０を挟み込んで接着し、これら止水部材９１，  ９１及び伸縮フォーム層９０の上面にシート状弾性体９２を接着し、さらに、前記シート状弾性体９２の上面に連続気泡フォーム体より成る保護層９３を接着して形成されている。
（設置態様について）
上記止水材Ｓは、止水部材９１，  ９１にそれぞれ接着剤を塗布し、図１８に示すように、遊間Ｕを形成するウェブＷ，Ｗ相互間に少し圧縮した状態で設置される。この設置状態においては、図１８に示す如く伸縮フォーム層９０は圧縮されていると共にシート状弾性体９２は波形状に変形した状態となっている。
（機能について）
上記設置態様の欄からも明らかであるが、遊間Ｕの変化は伸縮フォーム層９０の体積変化及びシート状弾性体９２の形状変化により吸収される。
【０００３】
また、伸縮フォーム層９０を構成する連続気泡フォームは水を通過させるが、止水部材９１，  ９１及び伸縮フォーム層９０はその上面がシート状弾性体９２で覆われていると共に止水部材９１，  ９１はウェブＷ，Ｗに接着されているから、遊間からの雨水等の落下は阻止される。
（問題点について）
ところが、既に遊間Ｕ内に設置した遊間用止水材Ｓ，Ｓ同士を接続しようとした場合、波形状に変形したシート状弾性体９２，  ９２を繋ぎ合わせる必要があるが、不可能であった。
【０００４】
【発明が解決しようとする課題】
そこで、この発明では、遊間内に設置された、伸縮フォーム層の上面に止水部材となるシート状弾性体が積層固定された遊間用止水材相互の接続方法を提供することを課題とする。
【０００５】
【課題を解決するための手段】
（請求項１記載の発明）
この発明の遊間用止水材相互の接続方法は、連続気泡フォームより成る伸縮フォーム層の上面及び橋軸方向両端面に止水部材を接着すると共に前記止水部材のうち少なくとも上面部分をシート状弾性部材で形成して成る遊間用止水材相互を接続する方法であって、前記遊間用止水材の橋軸直角方向端部を当該遊間用止水材相互の接続端部とし、前記接続端部における伸縮フォーム層の上部域に弾性体を埋設すると共に当該弾性体の上面及び橋軸方向両端面を止水部材に接着させたものとし、前記遊間用止水材の橋軸方向端面をウェブに接着した後に、隣合う遊間用止水材の少なくとも弾性体相互間に、反応硬化性のある前記と同じ弾性体を流し込んで隣合う遊間用止水材の弾性体相互を接続するようにしている。
（請求項２記載の発明）
この発明の遊間用止水材相互の接続方法は、連続気泡フォームより成る伸縮フォーム層の上面及び橋軸方向両端面に止水部材を接着すると共に前記止水部材のうち少なくとも上面部分をシート状弾性部材で形成して成る遊間用止水材相互を接続する方法であって、前記遊間用止水材の橋軸直角方向端面を当該遊間用止水材相互の接続端部とし、前記接続端部におけるシート状弾性部材の上面に弾性体を接着させたものとし、前記遊間用止水材の橋軸方向端面をウェブに接着した後に、隣合う遊間用止水材の少なくとも弾性体相互間に、反応硬化性のある前記と同じ弾性体を流し込んで隣合う遊間用止水材の弾性体相互を接続するようにしている。
【０００６】
なお、上記した発明の遊間用止水材相互の接続方法の機能については以下の発明の実施の形態の欄で説明する。
【０００７】
【発明の実施の形態】
以下、この発明を実施形態として示した図面に従って説明する。
〔実施形態１〕
図１はこの発明の実施形態１の遊間用止水材Ｓの斜視図であり、図３は前記遊間用止水材ＳをウェブＷ，Ｗ相互間の遊間Ｕに設置した状態を示す斜視図である。
（遊間用止水材Ｓの構成について）
この遊間用止水材Ｓは、図１や図２に示すように、伸縮フォーム層１と、前記伸縮フォーム層１を挟み込む態様で接着された止水部材２，２と、前記伸縮フォーム層１及び止水部材２，２の上面に積層接着され且つ止水部材として機能するシート状弾性体３と、接続面部における伸縮フォーム層１の上部域に埋設し且つ上面がシート状弾性体３に、両端面が止水部材２，２に、それぞれ接着されている低モジュラスの弾性体４と、接続面部における伸縮フォーム層１の下部域に埋設されて接着されているバックアップ材５と、前記シート状弾性体３の上面に積層接着された保護層６とから構成されている。
【０００８】
伸縮フォーム層１は、ウレタンフォームから成る二種類の連続気泡フォーム体１０ａ，１０ｂを交互に接着して成るもので、前記連続気泡フォーム体１０ａの性状は密度２２ｋｇ／ｍ３  （ＪＩＳ  Ｋ  ６４０１準拠）、硬度は１１ｋｇ（ＪＩＳ  Ｋ  ６４０１準拠）としてあり、連続気泡フォーム体１０ｂの性状は密度２６ｋｇ／ｍ３  （ＪＩＳ  Ｋ  ６４０１準拠）、硬度は１６ｋｇ（ＪＩＳ  Ｋ  ６４０１準拠）としてある。なお、この伸縮フォーム層１の接続面には深さ５０ｍｍの凹み部を設けてあり、上記した弾性体４及びバックアップ材５はこの凹み部に埋設される。
【０００９】
止水部材２は、クロロプレンゴム製の独立気泡フォームにより構成されており、その性状は、硬度２０度（タイプＣ、ＳＲＩＳ  ０１０１）、引張強度６ｋｇｆ／ｃｍ２  、吸水率５％以下のものとしてある。
【００１０】
シート状弾性体３は、厚さ０．４ｍｍのクロロプレンゴムを使用しており、その性状は、硬度５０度（ＪＩＳＡ）、引張強度１６０ｋｇｆ／ｃｍ２  、伸び４５０％としてある。
【００１１】
弾性体４は、橋軸直角方向の厚みを５０ｍｍとしてあり、垂直方向の厚みを２５ｍｍとし、その性状は、硬度８度（ＳＲＩＳ０１０１−１９６８）、伸び６００％としてある。
【００１２】
バックアップ材５は、連続気泡フォームで構成された５０ｍｍのものであり、その性状は密度８５ｋｇ／ｃｍ２  （ＪＩＳ  Ｋ  ６４０１準拠）、硬度４５ｋｇ（ＪＩＳ  Ｋ  ６４０１準拠）としてある。
【００１３】
保護層６は、伸縮に対して変形しやすい連続気泡フォームから構成されている。なお、この実施形態では、保護層５は、ポリエチレンフォームを使用しており、その性状は、密度０．０３ｇ／ｃｍ２  、５０％圧縮強さ０．０５ｋｇｆ／ｃｍ２  （ＪＩＳ  Ｋ  ６７６７準拠）としてある。
（遊間用止水材Ｓの施工について）
上記遊間用止水材Ｓの止水部材２，２の側面に接着材を塗布し、図３に示すように、圧縮した状態でフィンガージョイントＦのウェブＷ，Ｗ相互間に設置する。この設置状態では、伸縮フォーム層１、弾性体４及びバックアップ材５は圧縮変形されていると共にシート状弾性体３は波形状に変形している。
【００１４】
そして、上記の如き設置された隣合う遊間用止水材Ｓ，Ｓ相互は以下のようにして接続される。
【００１５】
先ず、図４に示すように、隣合う遊間用止水材Ｓ，Ｓ相互の下部域に連続気泡フォームで構成されたバックアップ材７を接着するようにして設置する。なお、図３ではフィンガージョイントＦを示していないが、図面の手前側及び奥側にはフィンガージョイントＦのウェブＷ，Ｗが存在している。なお、バックアップ材７の性状は密度８５ｋｇ／ｃｍ２  （ＪＩＳ  Ｋ  ６４０１準拠）、硬度４５ｋｇ（ＪＩＳ  Ｋ  ６４０１準拠）である。
【００１６】
次に、図３に示したフィンガージョイントＦのプレートｆ，ｆの隙間から、図５に示すように、バックアップ材７及び両方のウェブＷ，Ｗで囲まれた部分に反応硬化性のある低モジュラスの弾性体８を流し込む。一定時間経過後、隣合う遊間用止水材Ｓ，Ｓのバックアップ材５，５とバックアップ材７が接着状態になると共に、弾性体８の硬化により、隣合う遊間用止水材Ｓ，Ｓの弾性体４，４と前記弾性体８とが一体になり、隣合う遊間用止水材Ｓ，Ｓの接続が完了する。
【００１７】
なお、弾性体８は硬度８度（ＳＲＩＳ０１０１−１９６８）程度の低モジュラスである。
（この方法による隣合う遊間用止水材Ｓ，Ｓの接続状態について）
遊間用止水材Ｓ，Ｓの上記接続状態では、以下の機能を奏する。
▲１▼．弾性体４は、接続面部における伸縮フォーム層１の上部域に埋設された状態で接着され且つ上面がシート状弾性体３に、両端面が止水部材２，２に、それぞれ接着され、さらに、弾性体４，４と前記弾性体８とが一体になっているから、遊間からの雨水の落下は完全に阻止される。
▲２▼．遊間であるウェブＷ，Ｗの距離の変化は伸縮フォーム層１、保護層６及びバックアップ材７の体積変化と、シート状弾性体３、弾性体４、弾性体８の形状変化により吸収される。
〔実施形態２〕
図６は実施形態２の遊間用止水材Ｓの斜視図であり、図８は前記遊間用止水材ＳをウェブＷ，Ｗ相互間の遊間Ｕに設置した状態を示す斜視図である。
【００１８】
この遊間用止水材Ｓは実施形態１と基本的には同様の機能を発揮するものであるが、相違ところは、シート状弾性体３の両サイドの延長部を下方に折り曲げて止水材を構成させている点である。つまり、この実施形態では、伸縮フォーム層１、弾性体４及びバックアップ材５に接着されたシート状弾性体３部分が、実施形態１の止水部材２，２と対応している。
【００１９】
なお、この実施形態２では、弾性体４及びバックアップ材５の橋軸方向長さは図６及び図７に示すように、伸縮フォーム層１と同じ寸法にする。
【００２０】
したがって、この遊間用止水材Ｓの構成であっても、隣合う遊間用止水材Ｓ，Ｓ相互の下部域に連続気泡フォームで構成されたバックアップ材６を接着し、フィンガージョイントＦのプレートｆ，ｆの隙間から、反応硬化性のある低モジュラスの弾性体８を流し込めば、実施形態１と同等に隣合う遊間用止水材Ｓ，Ｓを接続できる。
〔実施形態３〕
図９は実施形態３の遊間用止水材Ｓの斜視図であり、図１１は前記遊間用止水材ＳをウェブＷ，Ｗ相互間の遊間Ｕに設置した状態を示す斜視図である。
【００２１】
この遊間用止水材Ｓは実施形態１と基本的には同様の機能を発揮するものであるが、相違する点は、図９〜図１１に示すように、伸縮フォーム層１及び止水部材２，２の上面に接着されたシート状弾性体３の上面（上部域）に弾性体４を接着し、前記弾性体４の上面を保護層６の上面と面一にしているところである。
【００２２】
この遊間用止水材Ｓの構成であっても、図１２に示すように、隣合う遊間用止水材Ｓ，Ｓ相互の下部域に連続気泡フォームで構成されたバックアップ材６を接着し、フィンガージョイントＦのプレートｆ，ｆの隙間から、図１３に示すように反応硬化性のある低モジュラスの弾性体８を流し込めば、実施形態１と同等に隣合う遊間用止水材Ｓ，Ｓを接続できる。
〔実施形態４〕
図１４は実施形態４の遊間用止水材Ｓの斜視図であり、図１６は前記遊間用止水材ＳをウェブＷ，Ｗ相互間の遊間Ｕに設置した状態を示す斜視図である。
この遊間用止水材Ｓは実施形態３と基本的には同様の機能を発揮するものであるが、相違する点は、シート状弾性体３の両サイドの延長部を下方に折り曲げて、一種類の連続気泡フォームで構成された伸縮フォーム層１及びバックアップ材５の橋軸方向端面に接着しているところである。つまり、この実施形態では、伸縮フォーム層１に接着されたシート状弾性体３部分が、実施形態３の止水部材２，２と対応している。
【００２３】
なお、この実施形態３では、弾性体４の橋軸方向長さは図１４や図１５に示すように、伸縮フォーム層１と同じ寸法にする。
【００２４】
詳細はしないが、この遊間用止水材Ｓの構成であっても、上記実施形態３と同等に隣合う遊間用止水材Ｓ，Ｓを接続できる。
〔他の実施形態〕
上記実施形態２、４における伸縮フォーム層１を、両端部分を密度８５ｋｇ／ｍ３  （ＪＩＳ  Ｋ  ６４０１準拠）、硬度は４５ｋｇ（ＪＩＳ  Ｋ  ６４０１準拠）の連続気泡フォーム体で、中央部を密度２５ｋｇ／ｍ３  程度（ＪＩＳ  Ｋ  ６４０１準拠）、硬度は１３ｋｇ程度（ＪＩＳ  Ｋ  ６４０１準拠）の連続気泡フォーム体で構成させることが好ましい。
【００２５】
上記実施形態では、遊間用止水材Ｓの接続端面にバックアップ材５を形成しているが、バックアップ材５ではなく伸縮フォーム層１をそのまま接続端面の一部としてもよい。
【００２６】
【発明の効果】
この発明は上記のような構成であるから次の効果を有する。
【００２７】
発明の実施の形態の欄から明らかなように、遊間内に設置された、伸縮フォーム層の上面に止水部材となるシート状弾性体が積層固定された遊間用止水材相互の接続方法を提供できた。
【図面の簡単な説明】
【図１】この発明の実施形態１の遊間用止水材の斜視図。
【図２】実施形態１の遊間用止水材の接続端面から弾性体及びバックアップ材を取り除いた状態の斜視図。
【図３】実施形態１の遊間用止水材をウェブ相互間の遊間に設置した状態を示す斜視図である。
【図４】隣合う実施形態１の遊間用止水材相互間にバックアップ材を設置した状態を示す斜視図。
【図５】隣合う実施形態１の遊間用止水材相互間のバックアップ材上に反応硬化性のある低モジュラスの弾性体を流し込んだ状態を示す斜視図。
【図６】この発明の実施形態２の遊間用止水材の斜視図。
【図７】実施形態２の遊間用止水材の接続端面から弾性体及びバックアップ材を取り除いた状態の斜視図。
【図８】実施形態２の遊間用止水材をウェブ相互間の遊間に設置した状態を示す斜視図である。
【図９】この発明の実施形態３の遊間用止水材の斜視図。
【図１０】実施形態３の遊間用止水材の接続端面から弾性体及びバックアップ材を取り除いた状態の斜視図。
【図１１】実施形態３の遊間用止水材をウェブ相互間の遊間に設置した状態を示す斜視図。
【図１２】隣合う実施形態３の遊間用止水材相互間にバックアップ材を設置した状態を示す斜視図。
【図１３】隣合う実施形態３の遊間用止水材相互間のバックアップ材上に反応硬化性のある低モジュラスの弾性体を流し込んだ状態を示す斜視図。
【図１４】この発明の実施形態４の遊間用止水材の斜視図。
【図１５】実施形態４の遊間用止水材をウェブ相互間の遊間に設置した状態を示す斜視図。
【図１６】実施形態４の遊間用止水材をウェブ相互間の遊間に設置した状態を示す斜視図。
【図１７】先行技術の遊間用止水材の斜視図。
【図１８】先行技術の遊間用止水材をウェブ相互間の遊間に設置した状態を示す斜視図。
【符号の説明】
Ｓ        遊間止水材
Ｗ        ウェブ
Ｕ        遊間
１        伸縮フォーム層
２        止水部材
３        シート状弾性体（止水部材）
４        弾性体
５        バックアップ材
６        保護層
７        バックアップ材
８        弾性体
【図１】
0003564571.tif 000002
【図２】
0003564571.tif 000003
【図３】
0003564571.tif 000004
【図４】
0003564571.tif 000005
【図５】
0003564571.tif 000006
【図６】
0003564571.tif 000007
【図７】
0003564571.tif 000008
【図８】
0003564571.tif 000009
【図９】
0003564571.tif 000010
【図１０】
0003564571.tif 000011
【図１１】
0003564571.tif 000012
【図１２】
0003564571.tif 000013
【図１３】
0003564571.tif 000014
【図１４】
0003564571.tif 000015
【図１５】
0003564571.tif 000016
【図１６】
0003564571.tif 000017
【図１７】
0003564571.tif 000018
【図１８】
0003564571.tif 000019